(57)【特許請求の範囲】
【請求項１】
挿入式の電源装置ユニットと，この電源装置ユニットの背面に配設されてすべての接続を行うコネクタのプラグと，このプラグに対応するレセプタクルと前記電源装置ユニットを受けるガイドレールとを備える架とからなる電源装置の構造であって，
前記電源装置ユニットの背面に把手を設け，この把手は挿入進行方向にはほぼ等しい投影断面形状を有し，この投影断面形状に対応した包囲摺動手段を前記架に設けて，この包囲摺動手段に前記把手の進行方向先端が摺動開始した後に前記プラグにレセプタクルが嵌合接触することを特徴とする電源装置の構造。
【請求項２】
前記把手の断面がほぼ円であることを特徴とする請求項１記載の電源装置の構造。
【請求項３】
前記把手を複数備えてなることを特徴とする請求項１又は請求項２記載の電源装置の構造。
【請求項４】
前記電源装置ユニットの背面にガイド棒を設け，このガイド棒は挿入進行方向にはほぼ等しい投影断面形状を有し，この投影断面形状に対応した包囲摺動手段を前記架に設けて，この包囲摺動手段に前記ガイド棒の進行方向先端が摺動開始した後に前記プラグにレセプタクルが嵌合接触することを特徴とする請求項１又は請求項２又は請求項３記載の電源装置の構造。
【発明の詳細な説明】
【０００１】
【産業上の利用分野】
本発明は電源装置の構造に関するものであり，特に挿入式の電源装置の挿入抜出の操作を容易にする構造に関する。
【０００２】
【従来技術】
通信機用電源装置は，数十ボルトの直流電圧で数百アンペアの大電流を必要とする。また高信頼性を要求されるため，例えば出力１００アンペア程度のユニットを並列運転する方法が用いられる場合が多い。各ユニットは高周波スイッチングを利用して軽量化を図ってはいるものの，依然１０キログラム重から２０キログラム重の重量がある。この各ユニットをいわゆる架に挿入して，コネクタとの接続をするときには，作業用の把手と，適当な案内と，挿入後の振れ止め等の機能が必要である。
【０００３】
従来は電源装置ユニットの前面に把手を設け，背面にガイド棒を設け，このガイド棒に対応した穴を架の後面に設けて挿入の案内と振れ止めとを行っていた。しかしながら正面には把手があるが背面には把手がなく操作性がかならずしも良好ではない。
【０００４】
【発明が解決しようとする課題】
本発明は挿入式の電源装置ユニットの挿抜操作性を向上させることを課題とする。
【０００５】
【課題を解決するための手段】
この課題を解決するため，
挿入式の電源装置ユニットと，この電源装置ユニットの背面に配設されてすべての接続を行うコネクタのプラグと，このプラグに対応するレセプタクルと前記電源装置ユニットを受けるガイドレールとを備える架とからなる電源装置の構造であって，電源装置ユニットの背面に把手を設け，この把手は挿入進行方向にはほぼ等しい投影断面形状を有し，この投影断面形状に対応した包囲摺動手段を架に設けて，この包囲摺動手段に把手の進行方向先端が摺動開始した後にプラグにレセプタクルが嵌合接触することを特徴とする電源装置の構造を提案する。
【０００６】
また把手の断面がほぼ円であることも提案する。把手の断面が円であると，挿入時に包囲摺動手段に傾斜をもって摺動開始し，円滑に電源装置ユニットを挿入できる。また把手の断面がほぼ円であると，作業者の手にも優しい。
【０００７】
さらに，把手を複数備えることも提案する。把手が複数あることにより，電源装置ユニットが重いときには作業性がさらに良くなる。また挿入後の振れ止めの効果がさらに補強される。
【０００８】
さらにまた，電源装置ユニットの背面にガイド棒を設け，このガイド棒は挿入進行方向にはほぼ等しい投影断面形状を有し，この投影断面形状に対応した包囲摺動手段を架に設けて，この包囲摺動手段にガイド棒の進行方向先端が摺動開始した後にプラグにレセプタクルが嵌合接触することも提案する。
【０００９】
【実施例】
図１は本発明に係る電源装置の構造の一実施例の斜視図である。電源装置ユニット１は架31に複数台搭載されて，各々の電源装置ユニットの入力端子と出力端子は，それぞれコネクタを介して互いに電気的に並列接続される。図において電源装置ユニット１の構成は，正面パネル３と，これに結合する側面11，底面12，側面13，上面14及び背面15から外周は形成される。正面パネル３にはスイッチ５と表示ランプ９等が配設される。また正面パネル３には抜け止め機能を有する折り畳み式の正面把手７が設けられている。背面15のやや下側にはコネクタのプラグ19が設けられて，このプラグ19には電源装置ユニット１の入力・出力のすべての線が接続される。また背面15の上側には把手17が取り付けられる。この把手17は直径８mmのほぼ丸棒をＵ字形に曲げた黄銅製で背面15に２点で固定される。
【００１０】
架31は，電源装置ユニット１を複数個，収納できる構造である。図１はそのうちの１個について示してあるが，ガイドレール33，35の上に電源装置ユニット１を滑らせて奥に進める。
【００１１】
図２はその側面断面図であって，電源装置ユニット１の挿入の際のプラグ21とレセプタクル39との結合状況の図解である。電源ユニット１がガイドレール33，35の上を奥の方向に進んでくると，まず把手17が取付板37に近づき長円穴41の縁の接触するか又は接近する。把手17の断面はほぼ円であるので，長円穴41の縁に把手17が接触した場合には，表面を滑って電源装置ユニット１はさらに進む。そして把手17が長円穴41の外側表面に突出するようになる。次にプラグ19がレセプタクル39に近づき結合接触する。
【００１２】
図３はその上面断面図であって，電源装置ユニット１の挿入状況を示す。なおこの図３ではプラグ19とレセプタクル39については，把手17の下側になるため省いてある。把手17の角の曲率半径は，ほぼその直径の半分の４mmであり，この値以下の偏差については長円穴41の縁を滑って通過する。したがって挿入時には，把手17と長円穴41の縁とが共働してプラグ19とレセプクタクル39との案内を行い，また結合後には振れ止めとして働く。
【００１３】
本発明に係る電源装置の構造について，一般的には次のように寸法公差を定めることが必要となる。プラグ19とレセプタクル39との接続許容公差を±d1とし，長円穴41と把手17との偏差を±d2とし，電源装置ユニット１とガイドレール33,35 との間の偏差を±d3とすると，(1) 式の関係を満たすことが必要となる。
【００１４】
d1≦d2≦d3…(1)
【００１５】
つまり上記(1) 式の意味するところは，電源装置ユニット１が挿入されてくるにつれて徐々に寸法偏差が小さくなり，最終的にはプラグ19とレセプタクル39の結合が許容公差内に抑制されることである。
【００１６】
本発明に係る電源装置の構造の一実施例について説明してきたが，本発明はさらに変形応用することができる。把手の形状については，断面が円であることが一般的ではあるが，要するに挿入進行方向にほぼ等しい投影断面形状を有していれば充分であり，例えば楕円であってもよい。把手の材料についても，黄銅は一般的であるが，ステンレスや他の金属でもよい。また表面にプラスチックやゴム等被覆してもよい。また把手を複数設けたり，あるいはガイド棒との併用でもよい。さらに架の側では，支持板に設けた長円穴については，要するに把手の投影断面形状に対応した包囲摺動手段として作用するものであればよいので，穴にカバーを施した形状や厚みのあるもの，さらにはゴムやプラスチックやバネ等の弾性体を併用することもできる。
【００１７】
電源装置ユニットは多くの場合には，互いに等しい入出力容量のものを用いて，互換性を持たせることを基本とする。その場合には把手の位置と形状は互いに等しいものとする。ただし目的によっては，各電源装置ユニットを特定したい場合があり，そのときには把手の形状と，これに対応して長円穴の形状も選定される。
【００１８】
【発明の効果】
本発明は以上述べたような特徴を有し，電源装置ユニットを架に挿入するときに，その背面に設けた把手により端を保持するので，大きいモーメントで円滑に作業できる。したがってコネクタのプラグとレセプタクルを傷めず，かつ挿入後も振れ止め作用により機械的に保護される効果がある。把手によって挿入操作性が向上する。また電源装置ユニットの背面に取り付けられた把手は，その背面への取付け場所が２か所またはそれ以上であるため，機械的強度がより大きくなり，振れ止め作用の効果も大きい。さらに，把手の取付け点間の張り出し部が，電源装置ユニット背面の衝突時にプラグを保護することとなり，また作業者や物体に対して安全でより優しいという効果もある。
【図面の簡単な説明】
【図１】本発明に係る電源装置の構造の一実施例の斜視図である。
【図２】本発明に係る電源装置の構造の一実施例の側面断面図である。
【図３】本発明に係る電源装置の構造の一実施例の上面断面図である。
【符号の説明】
１…電源装置ユニット  ３…正面パネル      ５…スイッチ
７…正面把手          ９…表示ランプ      11…側面
12…底面              13…側面            14…上面
15…背面              17…把手            19…プラグ
21，23，25，27…稜
31…架                33，35…ガイドレール    37…支持板
39…レセプタクル      41…長円穴
【図１】
0003638733.tif 000002
【図２】
0003638733.tif 000003
【図３】
0003638733.tif 000004